(57)【要約】【課題】二重床を施工する際に、床材と幅木との間の隙間の大きさを確実に確保する方法を提供する。【解決手段】二重床を施工する際に、壁１３の表面に沿って取付けられる幅木１５や、間仕切壁１６の表面に沿って取付けられる幅木１７の底面側に、予め複数の円筒状のゴム部材２０を所定の間隔を隔てて取付けておき、しかる後に、上記幅木１５及び幅木１７を、上記ゴム部材２０の底部が床材１２の表面に当接するようにして、壁１３及び間仕切壁１６にそれぞれ取付けるようにした。【選択図】        図１
2005036431.tif 000002
【特許請求の範囲】
【請求項１】
基礎床上に床支持具を複数個配置し、これらの床支持具上に、床材を、壁面との間、及び、幅木との間にそれぞれ所定の隙間を設けて配置して成る二重床を施行する際に用いられる幅木であって、底面側に所定の間隔を隔てて複数の緩衝材を取付けたことを特徴とする緩衝材付き幅木。
【請求項２】
上記緩衝材の床材に接する側の断面形状を円弧状としたことを特徴とする請求項１に記載の緩衝材付き幅木。
【請求項３】
基礎床上に床支持具を複数個配置し、これらの床支持具上に、床材を、壁面との間、及び、幅木との間にそれぞれ所定の隙間を設けて配置して成る二重床を施行する際に用いられる幅木であって、底面側に上記床材と壁面との間の隙間に連通する空隙部が形成された緩衝材を取付けたことを特徴とする緩衝材付き幅木。
【請求項４】
基礎床上に床支持具を複数個配置し、これらの床支持具上に、床材を、壁面との間、及び、幅木との間にそれぞれ所定の隙間を設けて配置して成る二重床を施行する際に、上記幅木として、上記請求項１〜請求項３のいずれかに記載の緩衝材付き幅木を用いたことを特徴とする二重床の施工方法。
【発明の詳細な説明】
【０００１】
【発明の属する技術分野】
本発明は、基礎床上に複数の床支持具を介して床材を配置して成る二重床構造に関するもので、特に、床材と幅木との間の隙間を確保する方法とこれに用いられる幅木の構造に関する。
【０００２】
【従来の技術】
近年、集合住宅等の各種建造物においては、スラブ上に複数の床支持具を介して床材を配置して成る二重床を施工する際に、床衝撃音を低減するため、例えば、図６に示すように、スラブ１０上にクッション性を有する防振材１１ｃを備えた複数の床支持具１１を配置し、その上に複数の床部材１２Ａ，１２Ｂ，１２Ｃを積層した床材１２を配置するようにしている。このとき、壁１３側に位置する床材１２の端部１２ｅは、壁１３表面から２ｍｍ以上離した位置に設置された際根太１４といわれる支持部材により支持される。これにより、壁際に家具等の重量物が設置された場合でも、床材１２の端部１２ｅが沈み込まないようにしている。なお、上記際根太１４は、支柱１４ａと台座１４ｂとを介してスラブ１０に接地される。
上記床支持具１１は、上部に床材１２を取付けるための矩形状の台座１１ａを有する支柱１１ｂと、この支柱１１ｂの下部を支持し、上記スラブ１０面に接地する、ゴム等より成る防振材１１ｃとから成り、床衝撃音等の上記床材１２からの振動が、スラブ１０を介して階下に伝達されるのを防止する。
一方、際根太１４は、通常、木材から成り、クッション性を有しないので、上記床材１２からの振動（固定伝播音）が壁１３を介して階下に伝達されるのを防止するためと、上記床材１２の振動に起因する二重床下の空気共振音の発生を防止するために、床材１２と壁１３との間に２ｍｍ程度の空気連通路（隙間）１３ｓが設けられている。また、部屋の隅に当たる壁１３の表面の上記床材１２の直上には、壁１３の表面に沿って幅木１５が取付けられるが、この幅木１５を取付ける際にも、床材１２と幅木１５との間に、上記空気連通路１３ｓに連通する２ｍｍ程度の空気連通路（隙間）１５ｓを設けるようにしている。
この隙間１３ｓ，１５ｓは、大きければそれだけ床振動の伝播や空気共振音の発生を防止することができ、遮音性能は向上するが、部屋の構成上、床材１２と壁１３との間、及び、床材１２と幅木１５との間の隙間の大きさはできるだけ小さい方がよいので、現状では、上記のように、上記隙間の大きさを２ｍｍ程度としている。
また、間仕切壁１６が設けられている場合には、最表面の床部材１２Ａと間仕切壁１６との間、及び、上記間仕切壁１６面の上記床部材１２Ａの直上に取付けられた幅木１７と上記床部材１２Ａとの間に、２ｍｍ程度の隙間１６ｓ及び隙間１７ｓをそれぞれ設ける。
上記間仕切壁１６は、上階のスラブである天井１８側に断面がコの字状に形成された天井側ランナー１６ａを取付け、床材１２側にも断面がコの字状の床側ランナー１６ｂを取付け、上記ランナー１６ａ，１６ｂの凹部間に下地柱としての間柱１６ｃを固定するとともに、上記間柱１６ｃの表面に石膏ボード等の壁材１６ｄを貼り付けることにより構築される。このとき、遮音性能を向上させるため、上記床側ランナー１６ｂの凹部内底部にゴム等のクッション材１６ｋを敷き詰めるとともに、上記間柱１６ｃ及び壁材１６ｄの下端側は上記床側ランナー１６ｂに固定しないようにする。これにより、上記間仕切壁１６は、天井側ランナー１６ａを介して、天井１８に吊られている状態となるので、上階からの振動の伝播を低減することができる。
【０００３】
【発明が解決しようとする課題】
しかしながら、床材１２と壁１３との間や床材１２と間仕切壁１６との間の隙間を確実に所定の寸法に保ちつつ床材１２を配置したり、床材１２と所定の隙間を確保しながら幅木１５，１７を取付ける作業は非常に注意を要するため、作業性が悪いだけでなく、熟練を要するため、作業員により隙間の大きさに差がでてしまっていた。中でも、幅木１５，１７を取付ける際には、鉛直方向の間隔を一定にする作業であるため、上手く施工できず、そのため、遮音性能が大幅に低下してしまうといった問題点があった。
更には、上記隙間が十分確保できない場合や、床材１２と幅木１５，１７とが接触してしまったような場合には、床材１２と幅木１５，１７とが擦れることによる摩擦音が発生するなどの問題点があった。
【０００４】
本発明は、従来の問題点に鑑みてなされたもので、二重床を施工する際に、床材と幅木との間の隙間の大きさを確実に所定の大きさに施行する方法と、これに好適に用いられる幅木を提供することを目的とする。
【０００５】
【課題を解決するための手段】
本発明の請求項１に記載の発明は、基礎床上に床支持具を複数個配置し、これらの床支持具上に、床材を、壁面との間、及び、幅木との間にそれぞれ所定の隙間を設けて配置して成る二重床を施行する際に用いられる幅木であって、底面側に所定の間隔を隔てて複数の緩衝材を取付けたことを特徴とするものである。これにより、床材と幅木との間の隙間を確実に所定の大きさに設定することができるとともに、床材から幅木への衝撃音の伝播を低減することが可能となる。また、幅木の取付けが容易になるので、作業性を著しく向上させることができる。
請求項２に記載の発明は、請求項１に記載の緩衝材付き幅木において、上記緩衝材の床材に接する側の断面形状を円弧状としたもので、これにより、床材から幅木への衝撃音の伝播を更に低減することが可能となる。
また、請求項３に記載の発明は、基礎床上に床支持具を複数個配置し、これらの床支持具上に、床材を、壁面との間、及び、幅木との間にそれぞれ所定の隙間を設けて配置して成る二重床を施行する際に用いられる幅木であって、底面側に上記床材と壁面との間の隙間に連通する空隙部が形成された緩衝材を取付けたことを特徴とするものである。
【０００６】
請求項４に記載の発明は、基礎床上に床支持具を複数個配置し、これらの床支持具上に、床材を、壁面との間、及び、幅木との間にそれぞれ所定の隙間を設けて配置して成る二重床を施行する二重床の施工方法であって、上記幅木として、上記請求項１〜請求項３のいずれかに記載の緩衝材付き幅木を用いたことを特徴とするものである。
【０００７】
【発明の実施の形態】
以下、本発明の実施の形態について、図面に基づき説明する。
図１は、本発明の一実施の形態を示す図で、同図において、１０は基礎床であるスラブ、１１は上部に床材１２を取付けるための矩形状の台座１１ａを有する支柱１１ｂと、この支柱１１ｂをスラブ１０上に保持するクッション性を有する防振材１１ｃとを備え、スラブ１０に接地される床支持具、１２は床表面から順に床部材であるフローリング１２Ａ，捨張合板１２Ｂ，パーティクルボード１２Ｃを積層して成る床材、１３は壁、１４は支柱１４ａと台座１４ｂとを介してスラブ１０に接地され、かつ、壁１３表面から２ｍｍ以上離した位置に設置された、上記床材１２の端部１２ｅを支持する際根太、１５は上記壁１３の表面の上記床材１２の直上に上記壁１３に沿って取付けられる幅木、１６は間仕切壁、１７はこの間仕切壁１６に取付けられる幅木、２０は上記幅木１５及び幅木１７の底面側に所定の間隔で取付けられた緩衝材である円柱状のゴム部材である。
上記二重床を施工する際には、遮音性能を確保するため、床材１２の最表面に位置するフローリング１２Ａの壁１３側の端部１２ｅと壁１３との間、及び、上記フローリング１２Ａと幅木１５との間に、２ｍｍ前後の空気連通路（隙間）１３ｓ，１５ｓを設けるとともに、間仕切壁１６と上記フローリング１２Ａとの間、及び、上記フローリング１２Ａと幅木１７との間にも２ｍｍ前後の隙間（空気連通路）１６ｓ，１７ｓを設ける必要があるが、本例では、図２にも示すように、上記幅木１５及び上記幅木１７の底面側に予め複数の円柱状のゴム部材２０を所定の間隔を隔てて取付けておき、上記幅木１５及び上記幅木１７の取付け時に、上記空気連通路１３ｓ，１５ｓ及び隙間１６ｓ，１７ｓを同時に確保することができるようにしている。なお、他の従来と同一構成部分については同一符号を付し、その説明を省略する。
【０００８】
上記円柱状のゴム部材２０の高さは、フローリング１２Ａと幅木１５との間に必要な隙間１５ｓの大きさ、あるいは、フローリング１２Ａと幅木１７との間に必要な隙間１７ｓの大きさである２ｍｍ前後に設定されており、上記円柱状のゴム部材２０を幅木１５及び幅木１７に取付ける際には、上記円柱状のゴム部材２０の壁１３または間仕切壁１６側が上記壁１３あるいは上記間仕切壁１６に接しないように取付けるようにしている。また、上記円柱状のゴム部材２０は所定の間隔を隔てて配置されるので、上記円柱状のゴム部材２０，２０間には、上記隙間１３ｓ，１５ｓあるいは隙間１６ｓ，１７ｓに連通する広い隙間２０ｓがある。したがって、上記幅木１５及び幅木１７を取付ける際に、上記ゴム部材２０の下端側をフローリング１２Ａに接触させながら取付けるだけで、容易に床材１２と壁１３または床材１２と間仕切壁１６との間に十分な空気連通路を確保することができる。
すなわち、上記円柱状のゴム部材２０は弾性体であるだけでなく、上記のようにゴム部材２０，２０間には隙間２０ｓが形成されているので、床材１２からの床衝撃音が壁１３及び間仕切壁１６にはほとんど伝達されず、床振動の伝播や空気共振音の発生を確実に防止することができ、遮音性能を大幅に高めることが可能となる。
【０００９】
このように本実施の形態では、二重床を施工する際に、幅木１５及び幅木１７の底面側に、予め複数の円筒状のゴム部材２０を所定の間隔を隔てて取付けておき、しかる後に上記幅木１５及び幅木１７を壁１３、間仕切壁１６に取付けるようにしたので、二重床の遮音に必要な上記隙間１３ｓ，１５ｓ，１６ｓ，１７ｓの大きさを確実に確保することができる。また、幅木１５及び幅木１７の取付けを容易に行うことができるので、作業性を著しく向上させることができる。
また、上記隙間１３ｓ，１５ｓ，１６ｓ，１７ｓの大きさが確実に確保されるので、床材１２と壁１３，間仕切壁１６、あるいは、床材１２と幅木１５，１７とが擦れることによって生じる摩擦音の発生を防止することができる。
【００１０】
なお、上記実施の形態では、緩衝材として円筒状のゴム部材２０を用いたが、これに限るものではなく、角柱状など様々な形状が適用可能である。このとき、図３に示すように、緩衝材２１の床材１２（フローリング１２Ａ）に接する側の断面形状を円弧状とすることが好ましい。これにより、床材１２との接触面積を小さくできるので、床振動の伝播を更に低減することができ、遮音性能を更に高めることができる。
また、上記例では、幅木１５及び幅木１７の底面側に複数の円筒状のゴム部材２０を所定の間隔をおいて取付けた場合について説明したが、図４（ａ）に示すような、床材１２側に開口する複数の凹部２２ｓが形成された長尺状のゴム部材２２や、図４（ｂ）に示すような、床材１２に接する側の断面形状が波形の長尺状のゴム部材２３を上記幅木１５，１７の底面に取付けても同様の効果が得られるうえ、緩衝材（ゴム部材２２，２３）の取付けが容易となる。
あるいは、図５に示すように、床材１２と幅木１５との間（または、床材１２と幅木１７との間）の隙間１５ｓ（隙間１７ｓ）に連通する多数の空隙部２４ｓを形成した長尺状のゴム部材２４を幅木１５（幅木１７）の底面側に取付けることにより、床材１２の表面（フローリング１２Ａ）の凹凸に左右されることなく空隙部２４ｓを確実に形成できる。また、幅木１５及び幅木１７からの自重によるゴム部材２４の変形も抑制されるので、空隙部２４ｓの形成を確実に行える。
【００１１】
【発明の効果】
以上説明したように、二重床を施工する際に、幅木として、底面側に予め所定の間隔を隔てて複数の緩衝材を取付けた幅木や、床材と壁面との間の隙間に連通する空隙部を設けた緩衝材を取付けた幅木を用いるようにしたので、二重床の遮音に必要な、床材と壁面との間、及び、床材と幅木との間の隙間を確実に所定の値に設定することができるとともに、床材と壁や間仕切壁、もしくは幅木とが擦れることによって生じる摩擦音の発生を確実に防止することができる。
更に、上記のような幅木を取付けるだけで遮音性が確保できるので、作業性を著しく向上させることができる。
【図面の簡単な説明】
【図１】本発明の実施の形態に係る二重床構造を示す断面図である。
【図２】本実施の形態に係る幅木の構成を示す図である。
【図３】本発明による幅木の他の構成を示す図である。
【図４】本発明による幅木の他の構成を示す図である。
【図５】本発明による幅木の他の構成を示す図である。
【図６】従来の二重床構造を示す断面図である。
【符号の説明】
１０  スラブ、１１  床支持具、１１ａ  台座、１１ｂ  支柱、１１ｃ  防振材、１２  床材、１２Ａ  フローリング、１２Ｂ  捨張合板、１２Ｃ  パーティクルボード、１２ｅ  床材の端部、１３  壁、１３ｓ，１５ｓ  空気連通路、１４  際根太、１４ａ  際根太の支柱、１４ｂ  際根太の台座、１５，１７  幅木、１６  間仕切壁、１６ｓ，１７ｓ  隙間、１６ｋ  クッション材、１８  天井、２０  ゴム部材、２０ｓ  隙間。
【図１】
2005036431.tif 000003
【図２】
2005036431.tif 000004
【図３】
2005036431.tif 000005
【図４】
2005036431.tif 000006
【図５】
2005036431.tif 000007
【図６】
2005036431.tif 000008